(57)【要約】【課題】流動弁をフラッシュハンドルによって併せて操作することができる流動弁付きタンクを提供する。【解決手段】フラッシュハンドル１６を反時計方向Ａに回すことにより、ハンドルシャフト１４が回転し、チェーン５０を介してフロート弁４８が引き上げられ、便器のフラッシュ洗浄が行われる。凍結防止のために流動弁６０を開栓するには、フラッシュハンドル１６を時計方向Ｂに回す。そうすると、駆動体１４ａがリモートコントローラ７０Ａのシャフト７０Ａを押し込み、プッシュプルケーブル７２を介して流動弁６０が開栓し、内槽３６から水が少流量にて連続的に便器へ流出する。流動運転を停止するには、再度フラッシュハンドル１６を反時計方向に回し、駆動体１４ａによってシャフト１０４を押す。これにより、シャフト１０４は突出し、プッシュプルケーブル７２を介して流動弁６０が閉栓する。【選択図】  図１
2004324345.tif 000002
【特許請求の範囲】
【請求項１】
便器洗浄水を貯えるタンクであって、
該タンクの底部に設けられたフロート弁と、
該フロート弁を引き上げるためのフラッシュハンドルと、
凍結防止のために該タンクから水を連続的に流出させる流動弁と、
該流動弁を開閉操作するための操作手段と、
を備えてなる流動弁付きタンクにおいて、
該操作手段が前記フラッシュハンドルによって動作されるように構成されていることを特徴とする流動弁付きタンク。
【請求項２】
請求項１において、前記フラッシュハンドルは、中立姿勢から一方向に回動することによりフロート弁を引き上げ、他方向に回動することにより前記操作手段を動作させることを特徴とする流動弁付きタンク。
【請求項３】
請求項２において、該操作手段は、一端側が前記流動弁に接続され、長手方向に進退することにより該流動弁の開閉を切り替えるケーブルと、
該ケーブルの他端側に設けられた被駆動体とを備えており、
前記フラッシュハンドルと共に回動し、該フラッシュハンドルが前記他方向に回動したときに該被駆動体に当接して該被駆動体を動作させる駆動体が設けられていることを特徴とする流動弁付きタンク。
【請求項４】
請求項３において、前記フロート弁に該フロート弁引き上げ用線状体の下端が接続され、該線状体の上端は、回転可能なフラッシュハンドルシャフトの先端側に接続され、
該フラッシュハンドルシャフトの基端側に、該フラッシュハンドルシャフトの回転軸心から放射方向に張り出すように前記駆動体が設けられていることを特徴とする流動弁付きタンク。
【請求項５】
請求項４において、該フラッシュハンドルシャフトは、
前記引き上げ用線状体が接続された先端側フラッシュハンドルシャフトと、
該先端側フラッシュハンドルシャフトと係合するように配置されており、前記フラッシュハンドルが固着されている基端側フラッシュハンドルシャフトと
から構成されており、
該基端側フラッシュハンドルシャフトに前記駆動体が設けられており、
該基端側フラッシュハンドルシャフトは、該先端側フラッシュハンドルシャフトに対し上方から係合して回転力を伝達可能とされていることを特徴とする流動弁付きタンク。
【請求項６】
請求項５において、該先端側フラッシュハンドルシャフトには、該基端側フラッシュハンドルシャフトの該駆動体に重なる張出体が設けられており、
該駆動体と張出体とを介して基端側フラッシュハンドルシャフトの回転力が先端側フラッシュハンドルシャフトに伝達可能とされていることを特徴とする流動弁付きタンク。
【発明の詳細な説明】
【０００１】
【発明の属する技術分野】
本発明は、主として便器に洗浄水を供給するためのタンクに係り、特に便器へ水を少量ずつ連続的に供給してトラップ水等の凍結を防止する流動弁を備えたタンクに関する。
【０００２】
【従来の技術】
寒冷地の便器においては、ロータンク等のタンクに流動弁を設け、便器に少量ずつ水を供給してトラップ水の凍結を防止している。
【０００３】
図６〜１０を参照して流動弁を備えた従来（特開平１１−３２４０５９号公報）のロータンクについて説明する。図６は同号公報の流動弁付きロータンクの縦断面図、図７は図６のＶＩＩ−ＶＩＩ線に沿う断面図、図８は流動弁の断面図、図９，１０はリモートハンドルの側面図及び断面図である。
【０００４】
図６に示す通り、陶器製のアウタータンク３２内に合成樹脂製のインナータンク３４が配置され、このインナータンク３４内に内槽３６が設置されている。内槽３６の底部からは流出管３８がインナータンク３４の下部まで垂設されている。
【０００５】
この流出管３８には、内槽３６からの流出方向の流れのみを許容する逆止弁４０が設けられている。
【０００６】
アウタータンク３２及びインナータンク３４の底部にフロート弁装置４２が設置され、このフロート弁装置４２からオーバーフロー管４４が立ち上げられている。フロート弁装置４２のシート部４６にはフロート弁４８が着座している。このフロート弁４８にはチェーン５０が接続され、洗浄ハンドル（図示略）を回すことにより該チェーン５０を介してフロート弁４８が引き上げられ、ロータンク４０内の水が流出筒５４を経て便器に流出するよう構成されている。
【０００７】
アウタータンク３２の上部にはボールタップ５６が取り付けられている。このボールタップ５６の浮玉（浮体）５８は内槽３６内に配置されている。この浮玉５８が下降するとボールタップ５６が開栓し、浮玉５８が上昇するとボールタップ５６が閉栓する。ボールタップ５６の流出口６０は、内槽３６外のインナータンク３４内に注水するように配置されている。
【０００８】
フロート弁装置４２のシート部４６よりも下流側（２次側）にはホース６２を介して流動弁６０が接続されている。この流動弁６０は、内槽３６の底部に設けられている。
【０００９】
アウタータンク１０の上部には、この流動弁６０を遠隔操作するためのリモートハンドル７０が設置され、該リモートハンドル７０と流動弁６０とがプッシュプルケーブル７２によって連結されている。
【００１０】
図８を参照して、前記流動弁６０の構成について説明する。
【００１１】
この流動弁６０は、バルブボディ８０と、該バルブボディ８０に設けられた水路８２と、該水路８２に設けられたシート部８４と、該シート部８４に着座する弁体８６と、該弁体８６を着座方向に付勢するリターンスプリング８８とを備えている。なお、弁体８６は水路８２の下流側からシート部８４に対し着座する。
【００１２】
バルブボディ８０は、アッパーボディ８０ａとロワーボディ８０ｂとの２個のボディよりなり、ロワーボディ８０ｂには弾性片８０ｃが設けられている。バルブボディ８０を内槽３６の底部の取付用開口９０に挿入する場合、弾性片８０ｃが中心側に弾性的に変形し、弾性片８０ｃが取付孔９０を通り抜けたところで拡開し、取付用開口９０の下面側縁部に当接し、これにより流動弁６０が該開口９０に抜け出し不能に取り付けられる。
【００１３】
前記プッシュプルケーブル７２は、アウタケーブル９２と、該アウタケーブル９２内に挿通されたインナケーブル９４とを備えており、このインナケーブル９４の先端にノッカー９６が設けられている。インナケーブル９４が前進した場合、該ノッカー９６が弁体８６を押し下げ、シート部８４から離反させる。符号９８はインナケーブル９４の抜け出しを阻止するケーブルストッパを示す。
【００１４】
なお、プッシュプルケーブル７２の一端は、連結金具１００によってバルブボディ８０の上端に連結されている。
【００１５】
次に、図１０を参照して、リモートハンドル７０の構成について説明する。
【００１６】
このリモートハンドル７０は、内部に前記インナケーブル９４が挿通された略円筒形状のカラム１０２と、該カラム１０２内に配置され、インナケーブル９４の端部が連結されたシャフト１０４と、該シャフト１０４の端部に形成されたストッパ１０６と、このストッパ１０６を図５の右方向に付勢するリターンスプリング１０８と、ストッパ１０６の一部に突設された凸部１１０と、この凸部１１０が通過しうるようにカラム１０２の長手方向に延設された溝１１２と、前記シャフト１０４が固着されたグリップ１１６とを備えている。なお、カラム１０２の外周にはフランジ１１８を有した固定用カラム１２０が螺合しており、該カラム１２０にロックナット１２２を締め込むことにより、リモートハンドル７０がロータンク４０の上部に固定される。
【００１７】
カラム１０２の先端には、アウタケーブル９２が連結金具１２４によって連結されている。
【００１８】
前記凸部１１０は、シャフト１０４が図示の状態にあるときには溝１１２と合致し、該溝１１２を通過しうる。シャフト１０４が図示の状態からシャフト１０４の軸心回りに９０°回転されると、凸部１１０は該溝１１２と合致せず、該溝１１２内に侵入不可能となり、図９（ｂ）に示すグリップ押し込み状態が保たれる。
【００１９】
このように構成された流動弁６０を有するロータンクの作動について次に説明する。
【００２０】
前記の通り、洗浄ハンドルを回すことにより、フロート弁４８が引き上げられ、インナータンク３４内の水が流出筒５４を経て便器に向って流出する。インナータンク３４内の水の流出に伴って内槽３６内の水位も低下するが、内槽３６内の水は小径の流出管３８を介してインナータンク３４内に流出するものであるため、インナータンク３４内の水の大半が流出しても内槽３６内にはかなりの水が残っており、ボールタップ５６は閉栓状態にある。
【００２１】
インナータンク３４内の水の大部分が流出し、フロート弁４８がシート部４６に着座し、フロート弁装置が閉弁した後、内槽３６内の水位が下がると、ボールタップ５６の浮玉５８が下降し、ボールタップ５８が開弁し、インナータンク３４内に水が補給される。流出管３８には逆止弁４０が設けられているので、この給水によりインナータンク３４内の水位のみが上昇する。このインナータンク３４内の水位が内槽３６の上縁３６ａに達すると、このインナータンク３４内の水が該上縁３６ａを溢流して内槽３６内に流れ込み、内槽３６内の水位が急速に上昇する。内槽３６内の水位が上昇すると、浮玉５８が上昇し、ボールタップ５６が閉弁する。
【００２２】
このロータンクから便器に連続的に水（流動水）を少量ずつ流して便器のトラップ水の凍結を防止する場合、図９（ｂ）に示すように、リモートハンドル７０のグリップ１１６を押し込んだ状態とする。そうすると、インナケーブル９４を介してノッカー９６が弁体８６を押し下げ、シート部８４と弁体８６とが離反する。これにより、水路８２を介して内槽３６内の水がホース６２に流出し、フロート弁装置４２を経て便器に水が連続的に流出する。
【００２３】
内槽３６内から水が流出して内槽３６内の水位が低下すると、ボールタップ５８が開弁し、インナータンク３４から水が内槽３６内に溢流して流れ込み、内槽３６内に水が補給される。この凍結防止運転状態にあっては、流動弁６０の弁体８６はシート部８４から必ず所定距離（即ち、グリップ１１６のストローク分）離反しており、常に便器トラップ水の凍結を防止するのに十分な量の水が便器に供給されることになる。
【００２４】
凍結防止運転を停止する場合には、グリップ１１６を回し、図９（ａ）のようにグリップ１１６を引き出す。なお、凸部１１０を溝１１２に合致させると、リターンスプリング１０８の付勢力によってグリップ１１６が図４（ａ）の右方向に移動し、インナケーブル９４がノッカー９６を引き上げ、弁体８６がシート部８４に着座し、流動水の供給が停止する。
【００２５】
【特許文献１】
特開平１１−３２４０５９号公報
【００２６】
【発明が解決しようとする課題】
上記従来の流動弁付きタンクにおいては、リモートハンドル７０がアウタータンク３２の外面に露出しており、美観が損なわれたり、あるいは清掃の邪魔になったりすることがある。
【００２７】
本発明は、流動弁をフラッシュハンドルによって併せて操作することができる流動弁付きタンクを提供することを目的とする。
【００２８】
【課題を解決するための手段】
本発明の流動弁付きタンクは、便器洗浄水を貯えるタンクであって、該タンクの底部に設けられたフロート弁と、該フロート弁を引き上げるためのフラッシュハンドルと、凍結防止のために該タンクから水を連続的に流出させる流動弁と、該流動弁を開閉操作するための操作手段と、を備えてなる流動弁付きタンクにおいて、該操作手段が前記フラッシュハンドルによって動作されるように構成されていることを特徴とするものである。
【００２９】
かかる流動弁付きタンクにあっては、流動弁を操作する手段がフラッシュハンドルによって動作するよう構成されているので、該手段がタンク設備の外面に露出せず、タンク設備の美観の向上等を図ることができる。
【００３０】
本発明では、フラッシュハンドルは、中立姿勢から一方向に回動することによりフロート弁を引き上げ、他方向に回動することにより前記操作手段を動作させるよう構成されていることが好ましい。このように構成すると、流動弁の操作が簡明なものとなる。
【００３１】
この場合、操作手段は、一端側が前記流動弁に接続され、長手方向に進退することにより該流動弁の開閉を切り替えるケーブルと、該ケーブルの他端側に設けられた被駆動体とを備えており、前記フラッシュハンドルと共に回動し、該フラッシュハンドルが前記他方向に回動したときに該被駆動体に当接して該被駆動体を動作させる駆動体が設けられていることが好ましい。これにより、フラッシュハンドルを回動させたときに流動弁が確実に動作するようになる。
【００３２】
本発明の具体的な一態様においては、フロート弁に該フロート弁引き上げ用線状体の下端が接続され、該線状体の上端は、回転可能なフラッシュハンドルシャフトの先端側に接続され、該フラッシュハンドルシャフトの基端側に、該フラッシュハンドルシャフトの回転軸心から放射方向に張り出すように前記駆動体が設けられている。
【００３３】
この態様においては、該フラッシュハンドルシャフトは、前記引き上げ用線状体が接続された先端側フラッシュハンドルシャフトと、該先端側フラッシュハンドルシャフトと係合するように、好ましくは略同軸状に配置されており、前記フラッシュハンドルが固着されている基端側フラッシュハンドルシャフトとから構成され、該基端側フラッシュハンドルシャフトに前記駆動体が設けられており、該基端側フラッシュハンドルシャフトは、該先端側フラッシュハンドルシャフトに対し上方から係合して回転力を伝達可能とされているよう構成されてもよい。この構成は、洋風便器後部上面のタンクカバーを浮上可能とした洋風便器設備に好適に適用される。この浮上式のタンクカバーは、これを上昇させると、タンクカバー下側の洋風便器上面が露出するので、タンクカバーと洋風便器との間に入り込んだ汚れを除去する清掃を入念に行うことができる。
【００３４】
この基端側フラッシュハンドルシャフトの回転力を先端側フラッシュハンドルシャフトに伝達させるために、該先端側フラッシュハンドルシャフトには、該基端側フラッシュハンドルシャフトの該駆動体に重なる張出体が設けられており、該駆動体と張出体とを介して基端側フラッシュハンドルシャフトの回転力が先端側フラッシュハンドルシャフトに伝達可能とされている構成としてもよい。この構成によれば、前記駆動体が流動弁の操作用とフロート弁引き上げ用との双方に利用される。
【００３５】
【発明の実施の形態】
以下、図面を参照して実施の形態について説明する。
【００３６】
図１は実施の形態に係る流動弁付きタンクの縦断面図、図２は図１の流動弁付きタンクのリモートコントローラ及びフラッシュハンドル付近の構成を示す斜視図、図３は図２のＩＩＩ−ＩＩＩ線に沿う縦断面図である。
【００３７】
この実施の形態では、アウタータンク３２にフラッシュハンドルユニット１０が取り付けられ、このフラッシュハンドルユニット１０のフラッシュハンドルシャフト（以下、ハンドルシャフトと略）１４がインナータンク３４内の上部に延出している。このフラッシュハンドルユニット１０は、外周面に雄螺子が刻設された筒状のハンドルコラム１２と、このハンドルコラム１２に挿通され且つその軸心回りに回動自在に保持された前記ハンドルシャフト１４と、該ハンドルシャフト１４の基端に固着されたフラッシュハンドル１６とを備えている。
【００３８】
このハンドルコラム１２は、アウタータンク３２の上部に設けられた取付孔３２ａに挿通され、雄螺子にナット締めされることにより該アウタータンク３２に固着される。符号１２ａは該ハンドルコラム１２に設けられたフランジを示す。
【００３９】
ハンドルシャフト１４の先端側はＬ字形に曲っており、この先端側にフロート弁４８の引き上げ用のチェーン５０が接続されている。チェーン５０の下端は該フロート弁４８に接続されている。
【００４０】
ハンドルシャフト１４の基端側からは、ハンドルシャフト１４の軸心に対し放射方向（この実施の形態では略水平方向）に張り出す張出片よりなる駆動体１４ａが設けられている。
【００４１】
この駆動体１４ａによって操作されるように流動弁６０用のリモートコントローラ７０Ａがインナータンク３４のブラケット部１８に取り付けられている。
【００４２】
リモートコントローラ７０Ａは、シャフト１０４が押し込まれると該シャフト１０４が後退位置にて停止し、もう１回シャフト１０４が押し込まれるとシャフト１０４が突出する構成のものとなっている。このリモートコントローラ７０Ａに前記プッシュプルケーブル７２の一端が接続され、該プッシュプルケーブル７２の他端が流動弁６０に接続されている。この流動弁６０は前記内槽３６の底部に設置されている。
【００４３】
この流動弁付きタンクのその他の構成は前記図６〜１０の流動弁付きタンクと同一であり、同一符号は同一部分を示している。
【００４４】
このように構成された流動弁付きタンクにおいて、フラッシュハンドル１６を図２の反時計方向Ａに回すことにより、ハンドルシャフト１４が回転し、チェーン５０を介してフロート弁４８が引き上げられ、インナータンク３４内の水が便器に向って放出され、便器のフラッシュ洗浄が行われる。このフラッシュ洗浄動作は前記図６〜１０の場合と全く同一である。
【００４５】
この流動弁付きタンクにおいて、凍結防止のために流動弁６０を開栓するには、フラッシュハンドル１６を図２の時計方向Ｂに回す。
【００４６】
そうすると、駆動体１４ａが図３（ｂ）のようにリモートコントローラ７０Ａのシャフト１０４を押し込み、プッシュプルケーブル７２を介して流動弁６０が開栓し、内槽３６から水が少流量にて連続的に便器へ流出する。この流動運転中の流動弁６０の動作は前記図５〜１０の場合と同一である。
【００４７】
なお、フラッシュハンドル１６から手を離すと、該フラッシュハンドル１６は図２の中立姿勢（垂下姿勢）に復帰する。
【００４８】
流動運転を停止するには、再度フラッシュハンドル１６を反時計方向に回し、駆動体１４ａによってシャフト１０４を押す。これにより、シャフト１０４は突出し、プッシュプルケーブル７２を介して流動弁６０が閉栓する。
【００４９】
このように、この実施の形態に係る流動弁付きタンクにあっては、フラッシュハンドル１６によって便器のフラッシュ洗浄だけでなく、流動弁６０の開閉も行うことができ、流動弁６０の開閉用操作部材がアウタータンク３２の外面に露出しない。このため、タンク外面の美観が良好になると共に、タンク外面の清掃も容易となる。
【００５０】
この実施の形態では、アウタータンク３２は陶器製であるが、合成樹脂製タンクカバーであってもよい。
【００５１】
このタンクカバーは、少なくとも前半側が浮上可能となっていてもよい。
【００５２】
図４，５は、前半部を浮上式としたタンクカバーを有した実施の形態に係る流動弁付きタンクの説明図であり、図４は前記図２と同様部分を示し、図５は図３と同様部分を示している。
【００５３】
この実施の形態では、ハンドルシャフトは基端側ハンドルシャフト２０と先端側ハンドルシャフト２２とで構成されている。基端側ハンドルシャフト２０は、ハンドルコラム１２に回転自在に保持されており、外方端にはフラッシュハンドル１６が固着されている。
【００５４】
基端側ハンドルシャフト２０の内方端は略四分円柱状部２０Ｑとなっており、この四分円柱状部２０Ｑから駆動体２０ａが略水平方向に張り出している。この駆動体２０ａそれ自体の構成は前記駆動体１４ａと同じである。
【００５５】
先端側ハンドルシャフト２２は、インナータンク３４に固着されたシャフト枢支コラム２４に挿通され、回動自在に保持されている。この先端側ハンドルシャフト２２の先端側（図示略）はＬ字形に曲っており、前記チェーン５０（図４，５では図示略）の上端が接続されている。先端側ハンドルシャフト２２は基端側ハンドルシャフト２０と略同軸状に配置されている。この先端側ハンドルシャフト２２の基端側は半円柱状部２２Ｈとなっている。この半円柱状部２２Ｈからは略水平方向に張出体２２ａが突設されている。この半円柱状部２２Ｈは基端側ハンドルシャフト２０の前記四分円柱状部２０Ｑの下側に配置され、張出体２２ａは駆動体２０ａの下側に重なり合うように配置されている。
【００５６】
この実施の形態にあっては、ハンドルコラム１２は浮上可能なタンクカバー（図示略）に固着されている。インナータンク３４は、洋風便器の後部上面のリヤベースプレート（図示略）上に設置されている。洋風便器の後部上面のフロントベースプレート（図示略）はタンクカバーと共に浮上可能となっている。
【００５７】
この実施の形態のその他の構成は上記実施の形態と同様であり、図４，５のその他の符号は図２，３と同一部分を示している。
【００５８】
このように構成された図４，５の流動弁付きタンクにおいても、フラッシュハンドル１６を図４の反時計方向Ａに回すことにより便器フラッシュ洗浄が行われる。この場合、基端側ハンドルシャフト２０の回転力は、駆動体２０ａ及び張出体２２ａを介して先端側ハンドルシャフト２２に伝達される。
【００５９】
フラッシュハンドル１６を図４及び図５（ａ）の時計方向Ｂに回すと、駆動体２０ａがシャフト１０４に当接し、リモートコントローラ７０Ａ及びプッシュプルケーブル７２を介して流動弁６０（図４，５では図示略）が開閉される。
【００６０】
この実施の形態では、タンクカバーを浮上させた場合、図５（ｂ）のように基端側ハンドルシャフト２０が該タンクカバーと共に上昇する。タンクカバーを下降させると、図５（ａ）に復帰する。
【００６１】
このようにタンクカバー及びこれと一体にフロントベースプレートを浮上させると、フロントベースプレートと洋風便器上面との間に入り込んだ汚れを十分に除去するよう清掃することができる。
【００６２】
なお、上記実施の形態は本発明の一例であり、本発明は図示以外の形態をもとりうる。例えば、上記実施の形態では、フラッシュハンドルの駆動力によってリモートコントローラ７０Ａを操作しているが、フラッシュハンドルの回転に伴ってＯＮ、ＯＦＦする電気スイッチを設け、この電気スイッチによって流動弁６０をソレノイドモータ等によって開閉動作させるようにしてもよい。
【００６３】
上記実施の形態では、インナータンクをアウタータンク又はタンクカバーで覆う構成となっているが、インナータンクのない場合でも本発明を適用できる。この場合、フラッシュハンドルをその回動軸心線方向に引き出し可能とし、この引き出し状態にてフラッシュハンドルを回すと流動弁の開閉操作が行われるよう構成してもよい。
【００６４】
【発明の効果】
以上の通り、本発明によると、流動弁をフラッシュハンドルによって併せて操作することができる流動弁付きタンクが提供される。
【図面の簡単な説明】
【図１】実施の形態に係る流動弁付きタンクの縦断面図である。
【図２】図１の流動弁付きタンクのリモートコントローラ及びフラッシュハンドル付近の構成を示す斜視図である。
【図３】図２のＩＩＩ−ＩＩＩ線に沿う縦断面図である。
【図４】別の実施の形態を示す斜視図である。
【図５】図４の実施の形態を示す断面図である。
【図６】従来例に係るロータンクの縦断面図である。
【図７】図６のＶＩＩ−ＶＩＩ線に沿う断面図である。
【図８】図６の流動弁の断面図である。
【図９】図６のリモートハンドルの側面図である。
【図１０】図６のリモートハンドルの断面図である。
【符号の説明】
１０  フラッシュハンドルユニット
１４  ハンドルシャフト
１４ａ  駆動体
１６  フラッシュハンドル
２０  基端側ハンドルシャフト
２０ａ  駆動体
２２  先端側ハンドルシャフト
２２ａ  張出体
３２  アウタータンク
３４  インナータンク
３６  内槽
３８  流出管
４０  逆止弁
４２  フロート弁装置
４４  オーバーフロー管
４６  フロート弁装置のシート部
４８  フロート弁
５６  ボールタップ
５８  浮玉（浮体）
６０  流動弁
６２  ホース
７０Ａ  リモートコントローラ
７０  リモートハンドル
７２  プッシュプルケーブル
８２  水路
８４  シート部
８６  弁体
８８  リターンスプリング
９２  アウタケーブル
９４  インナケーブル
１０４  シャフト
１１６  グリップ
【図１】
2004324345.tif 000003
【図２】
2004324345.tif 000004
【図３】
2004324345.tif 000005
【図４】
2004324345.tif 000006
【図５】
2004324345.tif 000007
【図６】
2004324345.tif 000008
【図７】
2004324345.tif 000009
【図８】
2004324345.tif 000010
【図９】
2004324345.tif 000011
【図１０】
2004324345.tif 000012